(57)【要約】【課題】ラックマウントに設置する環境でも、ネットワーク環境の構成変更などが行われた場合や監視画像記録装置が接続されたネットワークに障害が発生した場合に対して、極めて容易に操作及び保守を行うことができる監視画像記録装置を提供する。【解決手段】監視画像記録装置１１の本体の前面に、他のネットワーク接続ポートと比べて帯域を狭く制限したネットワーク接続ポート１２を設ける。これにより、監視画像記録装置１１をラックマウントに設置する環境であっても、ネットワーク環境の構成変更などが行われた場合、あるいは監視画像記録装置１１が接続されたネットワークに障害が発生した場合に対して、極めて容易に操作又は保守を行うことができる。【選択図】図１
2006319777.tif 000002
【特許請求の範囲】
【請求項１】
ネットワーク経由で配信される画像データを記録する監視画像記録装置であって、
複数のネットワーク接続ポートを有し、そのうちの少なくとも１つのネットワーク接続ポートを他のネットワーク接続ポートと比べて帯域を狭く制限し、且つ該ネットワーク接続ポートを装置本体の前面に設けた監視画像記録装置。
【請求項２】
前記装置本体の前面に設けた前記ネットワーク接続ポートは、他のネットワーク接続ポートに対して機能も制限されている請求項１に記載の監視画像記録装置。
【請求項３】
前記装置本体の前面に設けた前記ネットワーク接続ポートは、ＤＨＣＰ（Dynamic Host Configuration Protocol）サーバとＤＮＳ（Domain Name Server）サーバ夫々の機能と同等の機能を有し、操作又は保守を行うために接続するパーソナルコンピュータのＩＰアドレスを含むネットワーク設定を自動的に付与し、前記パーソナルコンピュータによる自己の装置や該自己の装置に接続されるカメラへのアクセスを可能とする請求項１又は請求項２に記載の監視画像記録装置。
【請求項４】
前記装置本体の前面に設けた前記ネットワーク接続ポートに、特定の処理手順が記述されたファイルが記録された記録媒体が接続されると、該記録媒体に記録された前記特定の処理手順を自動的に実行する機能を有する請求項１乃至請求項３のいずれかに記載の監視画像記録装置。
【発明の詳細な説明】
【技術分野】
【０００１】
本発明は、ネットワーク経由で配信される画像データを記録する監視画像記録装置に関する。
【背景技術】
【０００２】
従来、監視（セキュリティ）画像記録装置やサーバを含む一般的なネットワークシステムは、図１１に示すように、サーバ６１、クライアントコンピュータ６２、監視コンピュータ６３、システム管理者用コンピュータ６４、サーバーシステムネットワーク６５、ＨＵＢ（ハブ）６６、ルータ６７で構成される監視対象サーバシステム６ａと、ネットワーク６０を介して接続された監視センタ用コンピュータ６８及び担当保守拠点用コンピュータ６９とから構成される（例えば、特許文献１参照）。監視センタ用コンピュータ６８と担当保守拠点用コンピュータ６９は、監視対象サーバシステム６ａの設置場所とは異なる別の場所（遠隔地）に設置される場合が多い。このような構成において、監視コンピュータ６３と監視センタ用コンピュータ６８とがネットワーク６０を介して情報を送受し、サーバ６１における障害発生及び性能や稼働状況等を監視対象サーバシステム６ａから離れた監視センタ側で迅速かつ的確に把握することが可能になる。
【０００３】
ところで、監視サーバシステム６ａの保守を行う場合、サービスマンが監視サーバシステム６ａの設置されている場所に行き、保守用パーソナルコンピュータ（図示略）を監視サーバシステム６ａ内のＨＵＢ６６に接続し、ネットワーク６０を介して監視センタの担当保守拠点用コンピュータ６９から保守情報を取り出す。このときネットワーク６０やＨＵＢ６６に障害が有った場合や保守情報に不足が有った場合、各装置（サーバ６１、クライアントコンピュータ６２、監視コンピュータ６３、システム管理者用コンピュータ６４、サーバーシステムネットワーク６５）に直接保守用コンピュータを接続して保守・障害情報を取り出す必要がある。このようなシステムにおいては、各装置（サーバ６１、クライアントコンピュータ６２、監視コンピュータ６３、システム管理者用コンピュータ６４、サーバーシステムネットワーク６５）のネットワーク接続ポートが装置本体の背面に設けられていることが多い。
【０００４】
【特許文献１】特開２００１−３０６５１０号公報（図１）
【発明の開示】
【発明が解決しようとする課題】
【０００５】
しかしながら、従来の監視用ネットワークシステムにおいては、保守作業を行う際に保守用パーソナルコンピュータを監視画像記録装置の本体背面に設けられたインタフェースに接続する必要があるが、監視画像記録装置をラックマウントに設置する環境では、装置本体の背面への取り回しが困難であり、また監視画像記録装置がＬＡＮ等のネットワークに接続されている場合にはネットワーク経由でのアクセスが可能であるものの、ネットワーク環境の構成変更などが行われた場合あるいは監視画像記録装置が接続されたネットワークに障害が発生した場合は操作及び保守を容易を行えないという問題がある。
【０００６】
本発明は、かかる点に鑑みてなされたものであり、ラックマウントに設置する環境でも、ネットワーク環境の構成変更などが行われた場合や監視画像記録装置が接続されたネットワークに障害が発生した場合に対して、極めて容易に操作及び保守を行うことができる監視画像記録装置を提供することを目的とする。
【課題を解決するための手段】
【０００７】
上記目的は下記構成により達成される。
（１）  ネットワーク経由で配信される画像データを記録する監視画像記録装置であって、複数のネットワーク接続ポートを有し、そのうちの少なくとも１つのネットワーク接続ポートを他のネットワーク接続ポートと比べて帯域を狭く制限し、且つ該ネットワーク接続ポートを装置本体の前面に設けた。
【０００８】
（２）  上記（１）に記載の監視画像記録装置において、前記装置本体の前面に設けた前記ネットワーク接続ポートは、他のネットワーク接続ポートに対して機能も制限されている。
【０００９】
（３）  上記（１）又は（２）に記載の監視画像記録装置において、前記装置本体の前面に設けた前記ネットワーク接続ポートは、ＤＨＣＰサーバとＤＮＳサーバ夫々の機能と同等の機能を有し、操作又は保守を行うために接続するパーソナルコンピュータのＩＰアドレスを含むネットワーク設定を自動的に付与し、前記パーソナルコンピュータによる自己の装置や該自己の装置に接続されるカメラへのアクセスを可能とする。
【００１０】
（４）  上記（１）乃至（３）のいずれかに記載の監視画像記録装置において、前記装置本体の前面に設けた前記ネットワーク接続ポートに、特定の処理手順が記述されたファイルが記録された記録媒体が接続されると、該記録媒体に記録された前記特定の処理手順を自動的に実行する機能を有する。
【発明の効果】
【００１１】
本発明の監視画像記録装置は、複数のネットワーク接続ポートのうち少なくとも１つを装置本体の前面に設けたので、そのネットワーク接続ポートを用いることによって、装置がラック内に設置してある場合でも容易にアクセスすることができ、極めて容易に操作・保守を行うことができる。また、帯域を制限してあるため、装置の本来の性能を提供する他のネットワーク接続ポートの性能に対する影響を最小限に抑えることができる。
【発明を実施するための最良の形態】
【００１２】
以下に、本発明を実施するための好適な実施の形態について、図面を参照して詳細に説明する。
【００１３】
（実施の形態１）
図１は、本発明の実施の形態１に係る監視画像記録装置の外観を示す斜視図である。また、図２は、本実施の形態に係る監視画像記録装置の概略構成を示すブロック図である。図１において、本実施の形態の監視画像記録装置１１は、装置本体の前面に、帯域制限されたネットワーク接続ポート１２を有し、また装置本体の背面に、監視システムの運用のためのネットワークカメラや制御用コンピュータを接続するためのネットワーク接続ポート１３及び１４を有する。また、ネットワーク接続ポート１２〜１４の他には、図２に示すように、ネットワーク制御部１５と、記録再生機能や装置全体の制御を行う記録再生システム制御部１６と、記録媒体インタフェース部１７と、記録媒体１８とを備えている。ネットワーク接続ポート１２〜１４の帯域を制限する等のネットワークに関する機能はネットワーク制御部１５により実現される。なお、本実施の形態ではネットワーク制御部１５と記録再生システム制御部１６は１つのＣＰＵ（中央処理装置）で構成するが、それぞれ別個のＣＰＵで構成することも可能である。また、本実施の形態では記録媒体１８を装置に内蔵させているが、外付けにしても構わない。また、記録媒体１８としては、磁気記録媒体、光磁気記録媒体、光記録媒体、半導体記録媒体等がある。
【００１４】
図３は、監視画像記録装置１１を用いたネットワーク型監視システムの基本構成を示すブロック図である。この図に示すネットワーク型監視システムは、監視画像記録装置１１を除いて、ネットワークカメラ２３〜２６と、各ネットワークカメラ２３〜２６の出力信号を多重化するスイッチングハブと呼ばれる信号切替器２７と、システムの制御と監視映像のモニタリングを行う制御用パーソナルコンピュータ２２と、制御用パーソナルコンピュータ２２と他のパーソナルコンピュータ等の情報機器（図示略）夫々の出力信号を多重化するスイッチングハブと呼ばれる信号切替器２８と、保守用パーソナルコンピュータ２１とを備えている。信号切替器２７は監視画像記録装置１１のネットワーク接続ポート１３に接続され、信号切替器２８はネットワーク接続ポート１４に接続され、保守用パーソナルコンピュータ２１はネットワーク接続ポート１２に接続される。
【００１５】
次に、上記構成の監視画像記録装置１１の動作について説明する。まず、ネットワークカメラ２３〜２６で撮影して得られる画像データの記録処理について説明する。図４は、画像データの記録処理を示すフロー図である。この図において、監視画像記録装置１１は、ネットワークカメラ２３〜２６からの画像データを受信する（ステップＳ１０）。監視画像記録装置１１のネットワーク制御部１５は、ネットワークカメラ２３〜２６からの画像データを受信した後、受信した画像データがモニタリング対象のカメラ画像であるかどうか判定する（ステップＳ１１）。受信した画像データがモニタリング対象のカメラ画像であると判定すると、受信した画像データを制御用パーソナルコンピュータ２２に渡す（ステップＳ１２）。更に、録画対象カメラ画像であるかどうか判定し（ステップＳ１３）、録画対象カメラ画像でなければ受信した画像データを廃棄し（ステップＳ１４）、録画対象カメラ画像であれば受信した画像データを記録再生システム制御部１６に渡して記録媒体１８に記録させる（ステップＳ１５）。
【００１６】
次に、記録済みカメラ画像データの再生処理について説明する。図５は、記録済みカメラ画像データの再生処理を示すフロー図である。この図において、制御用パーソナルコンピュータ２２から記録済み画像の再生要求を受信すると（ステップＳ２０）、監視画像記録装置１１のネットワーク制御部１５は、再生要求指示を解釈し、記録再生システム制御部１６に伝える。記録再生システム制御部１６は、要求画像の検索を行い（ステップＳ２１）、該当する画像の有無を判定する（ステップＳ２２）。該当する画像が有ると判定すると、その画像データを読み出し、ネットワーク制御部１５を介して制御用パーソナルコンピュータ２２に送信する（ステップＳ２３）。これに対して該当する画像が無いと判定すると、その画像データが無いことを制御用パーソナルコンピュータ２２に通知する（ステップＳ２４）。
【００１７】
ところで、ネットワークの特性を活かすために、制御用パーソナルコンピュータ２２は、監視画像記録装置１１とは異なる場所、即ち距離が離れた場所に設置される場合が多い。そして、監視用画像記録装置１１はラックマウントに設置され、背面のネットワーク接続ポート１３及び１４には簡単にアクセスできない場合も多くある。また、システムに障害が生じた場合、装置の保守のために監視用画像記録装置１１の状態を確認しながら装置に記録された障害情報や設定情報を確認する必要がある。本実施の形態の監視画像記録装置１１には装置本体の前面にネットワーク接続ポート１２を有するので、信号切替器２８に障害が発生して制御用パーソナルコンピュータ２２から制御できなくなった場合には、ネットワーク接続ポート１２を使用することで、極めて容易に保守用パーソナルコンピュータ２１を監視画像記録装置１１に接続でき、ネットワークカメラ２３〜２６並びに監視画像記録装置１１の状態や設定情報を確認することができる。
【００１８】
このように本実施の形態の監視画像記録装置１１によれば、装置本体の前面にネットワーク接続ポート１２を有するので、監視画像記録装置１１をラックマウントに設置する環境であっても、ネットワーク環境の構成変更などが行われた場合、あるいは監視画像記録装置１１が接続されたネットワークに障害が発生した場合に対して、極めて容易に操作又は保守を行うことができる。
【００１９】
（実施の形態２）
次に、本発明の実施の形態２に係る監視画像記録装置について説明する。図６は、本実施の形態に係る監視画像記録装置１１を用いたネットワーク型監視システムの基本構成を示すブロック図である。なお、この図おいて前述した図３と共通する部分には同一の符号を付けてその説明を省略する。
【００２０】
本実施の形態に係る監視画像記録装置１１に設けられた３つのネットワーク接続ポート１２〜１４は、ネットワーク制御部１５により、その帯域が１０、１００Ｍｂｐｓで切替可能となっている。通常、ネットワーク接続ポート１２〜１４の帯域は外部に接続される信号切替器との接続において自動的に設定される。しかしながら、同時にそれらのネットワーク接続ポート１２〜１４はその帯域を固定する機能を有していることが多く、例えば画像データの送受信が多く発生するネットワーク接続ポート１３及び１４は自動設定として、信号切替器２７及び２８との接続において最大帯域が取れるように自動設定とするが、保守が主たる目的となるネットワーク接続ポート１２は固定値１０Ｍｂｐｓに設定することができる。
【００２１】
このように、保守用のネットワーク接続ポート１２は、帯域を他のネットワーク接続ポートより制限した構成をとることが可能となる。更に、制御用パーソナルコンピュータ２２は、監視画像記録装置１１の全機能を利用することができ、その性能は１００Ｍｂｐｓを使用することが可能なように構成されている。
【００２２】
また、監視画像記録装置１１の画像データ処理能力が１４０Ｍｂｐｓで、ネットワーク接続ポート１２の帯域が１０Ｍｂｐｓ、ネットワーク接続ポート１３及び１４の帯域が１００Ｍｂｐｓであったとする。このような処理能力を有した監視画像記録装置１１で、例えばネットワークカメラ２３〜２６から送出される画像データが１６Ｍｂｐｓの帯域を有する場合、その合計は６４Ｍｂｐｓになる。仮に、その画像データストリームをネットワーク接続ポート１３で受信し、制御用パーソナルコンピュータ２２が接続されるネットワーク接続ポート１４に送出し、更にネットワーク接続ポート１２にも同じ帯域のストリームを送出すると、ストリームの合計は６４Ｍｂｐｓ×３＝１９２Ｍｂｐｓになってしまい、監視画像記録装置１１の処理能力の１４０Ｍｂｐｓを超えてしまう。このため、ネットワーク接続ポート１２に接続された保守用パーソナルコンピュータ２１が６４Ｍｂｐｓの処理を行ってしまうと、ネットワーク接続用ポート１４に接続された制御用パーソナルコンピュータ２２で処理できるストリームは１２Ｍｂｐｓに制限されてしまい、監視システムとしての機能・性能に問題が発生する。しかしながら、ネットワーク接続ポート１２の帯域が１０Ｍｂｐｓに制限されていれば、１３０Ｍｂｐｓ分の処理能力が監視用に主として用いられるネットワーク接続ポート１３及び１４に振り分けられ、監視システムの機能・性能を維持することが可能となる。
【００２３】
更に、ネットワーク接続用ポート１２の機能は、監視画像記録装置１１の記録再生システム制御部１６によって、設定を確認・変更する機能、ネットワークカメラ２３〜２６の映像を静止画として取得する機能、記録された画像の一覧を取得する機能など、帯域（性能）を必要としない機能に制限されている。
【００２４】
このように本実施の形態の監視画像記録装置１１によれば、帯域制限されたネットワーク接続ポート１２で提供される機能・性能に制限を設けることにより、ネットワーク接続ポート１４に帯域に影響を与えることなく、監視システムの運用と保守を行うことができる。
【００２５】
（実施の形態３）
次に、本発明の実施の形態３に係る監視画像記録装置について説明する。図７は、本実施の形態に係る監視画像記録装置１１を用いたネットワーク型監視システムの基本構成を示すブロック図である。なお、この図では、監視画像記録装置１１の構成要素を一部省略しているが、前述した図３と同一であり、共通する部分には同一の符号を付けている。
【００２６】
図７において、監視画像記録装置１１のネットワーク制御部１５は、ＤＨＣＰ（Dynamic Host Configuration Protocol）サーバ機能とＤＮＳ（Domain Name Server）サーバ機能をそれぞれ有している。ＤＨＣＰサーバ機能とＤＮＳサーバ機能を有する監視画像記録装置１１では、監視画像記録装置１１と保守用パーソナルコンピュータ２１を接続すると、保守用パーソナルコンピュータ２１はＩＰアドレス付与要求を送信する。この要求送信を受け取った監視画像記録装置１１は、ＩＰアドレス他のネットワーク接続に必要な情報を返信する。監視画像記録装置１１のネットワーク制御部１５は、ＩＰアドレスとネットワークカメラ２３〜２６とを対応付けたＩＰアドレス変換テーブル３１を有している。
【００２７】
監視画像記録装置１１からの返信を受け取った制御用パーソナルコンピュータ２２は、付与されたＩＰアドレスを自己の設定に反映すると共に、受け取ったことを応答する。このようにＤＨＣＰの機能を使用することで自動的に監視画像記録装置１１と保守用パーソナルコンピュータ２１は通信可能な状態になる。因みに、ＤＨＣＰサーバは、クライアントからのＩＰアドレス要求に対し、未使用のものを選択して該クライアントに割り当ている処理を行うものである。ＤＮＳサーバは、クライアントにドメイン名とグローバルＩＰアドレスの情報を提供するものである。
【００２８】
次に、ＤＮＳサーバ機能について説明する。この場合、ネットワークカメラ２３〜２６には、例えば以下に示す固有のＩＰアドレスが付与されているとする。
カメラ２３（Ｃ１）：１９２．１６８.０．１
カメラ２４（Ｃ２）：１９２．１６８.０．２
カメラ２５（Ｃ３）：１９２．１６８.０．３
カメラ２６（Ｃ４）：１９２．１６８.０．４
【００２９】
ここで、ネットワーク接続ポート１２に接続された保守用パーソナルコンピュータ２１で、カメラ２３（Ｃ１）の操作・保守を行うためにアクセスする場合、通常は「ＩＰアドレス１９２．１６８.０．１」を保守用パーソナルコンピュータ２１に入力しなければならない。しかし、ＤＮＳサーバ機能を有している監視画像記録装置１１では、ＩＰアドレスを入力することなく、「カメラＣ１」と入力することでアクセスが可能となる。
【００３０】
即ち、図８のフロー図に示すように、保守用パーソナルコンピュータ２１を監視画像記録装置１１に接続すると、保守用パーソナルコンピュータ２１から、ＤＨＣＰの手順に従ってＩＰアドレスの要求を送信する（ステップＳ３０）。監視画像記録装置１１が保守用パーソナルコンピュータ２１からのＩＰアドレス要求を受信すると、該要求に対してＩＰアドレスを付与する（ステップＳ３１）。保守用パーソナルコンピュータ２１は、受け取ったＩＰアドレスを自己の設定に反映しつつ、監視画像記録装置１１に返信を行う（ステップＳ３２）。この返信により、監視画像記録装置１１は、送信したＩＰアドレスに装置即ち保守用パーソナルコンピュータ２１が存在することを認識する（ステップＳ３３）。
【００３１】
このように本実施の形態の監視画像記録装置１１によれば、監視システムの保守を行う際に、煩雑なネットワーク関連の設定を行うこと無く、またシステム毎に固有のＩＰアドレスを意識すること無く、カメラ番号などを用いた簡単な方法で監視システムの保守を行うことができる。
【００３２】
（実施の形態４）
次に、本発明の実施の形態４に係る監視画像記録装置について説明する。図９は、本実施の形態に係る監視画像記録装置１１を用いたネットワーク型監視システムの基本構成を示すブロック図である。なお、この図において前述した図３と共通する部分には同一の符号を付けている。
【００３３】
本実施の形態では、図９に示すようにネットワーク接続ポート１２にＩＰアドレスなどネットワークの設定を自動的に取得する機能を有した記録媒体４１を接続している。なお、記録媒体４１としては、磁気記録媒体、光磁気記録媒体、光記録媒体、半導体記録媒体等がある。このような構成のネットワーク型監視システムにおいて、図１０に示すメモリマップを用いてその動作を説明する。この図に示すメモリマップは、例としてネットワーク接続ポート１２に接続された記録媒体４１の記録内容を示すものである。アドレス（000000）から（100000）までの記録領域が存在し、その中にプログラムＰ１とプログラムＰ２で示されるファイルが記録されている。ここで、例えばプログラムＰ１には監視画像記録装置１１の設定内容を記録媒体４１に書き出す処理手順が記述され、プログラム２には監視画像記録装置１１の障害ログを書き出す処理手順が記述されているとする。
【００３４】
監視画像記録装置１１の記録再生システム制御部１６は、ネットワーク接続ポート１２に記録媒体４１が接続されたことをネットワーク制御部１５を介して検出すると、その記録媒体４１上に記録された特定のファイルを検索する。プログラムＰ１やプログラムＰ２を検出すると、記録再生システム制御部１６はその内容を解析し、処理手順に従って処理を行う。監視システムの保守を行うサービスマンは、ネットワークに関する知識を有さなくとも、記録媒体４１をネットワーク接続ポート１２に接続するだけで、簡単にシステムの保守に必要な情報を取り出すことができる。なお、処理手順を記述したファイルには、記録画像を取り出す手順が記述されていたり、監視画像記録装置１１のファームウェアのバージョンアップの手順が記述されていても良い。
【産業上の利用可能性】
【００３５】
本発明は、監視画像記録装置をラックマウントに設置する環境でも、ネットワーク環境の構成変更などが行われた場合や監視画像記録装置が接続されたネットワークに障害が発生した場合に対して、極めて容易に操作及び保守を行うことができるといった効果を有し、ネットワーク型監視システムへの適用が可能である。
【図面の簡単な説明】
【００３６】
【図１】本発明の実施の形態１に係る監視画像記録装置の外観を示す斜視図
【図２】本発明の実施の形態１に係る監視画像記録装置の概略構成を示すブロック図
【図３】本発明の実施の形態１に係る監視画像記録装置を用いたネットワーク型監視システムの基本構成を示すブロック図
【図４】本発明の実施の形態１に係る監視画像記録装置の画像データ記録処理を説明するためのフロー図
【図５】本発明の実施の形態１に係る監視画像記録装置の記録済みカメラ画像データの再生処理を説明するためのフロー図
【図６】本発明の実施の形態２に係る監視画像記録装置を用いたネットワーク型監視システムの基本構成を示すブロック図
【図７】本発明の実施の形態３に係る監視画像記録装置を用いたネットワーク型監視システムの基本構成を示すブロック図
【図８】本発明の実施の形態３に係る監視画像記録装置を用いたネットワーク型監視システムにおけるＩＰアドレス設定処理を説明するためのフロー図
【図９】本発明の実施の形態４に係る監視画像記録装置を用いたネットワーク型監視システムの基本構成を示すブロック図
【図１０】本発明の実施の形態４に係る監視画像記録装置に記録されたファイルの例を示す図
【図１１】従来の監視用ネットワークシステムの概略構成を示すブロック図
【符号の説明】
【００３７】
１１  監視画像記録装置
１２、１３、１４  ネットワーク接続ポート
１５  ネットワーク制御部
１６  記録再生システム制御部
１７  記録媒体インタフェース部
１８  記録媒体
２１  保守用パーソナルコンピュータ
２２  制御用パーソナルコンピュータ
２３、２４、２５、２６  ネットワークカメラ
２７、２８  信号切替器
３１  ＩＰアドレス変換テーブル
４１  記録媒体
【図１】
2006319777.tif 000003
【図２】
2006319777.tif 000004
【図３】
2006319777.tif 000005
【図４】
2006319777.tif 000006
【図５】
2006319777.tif 000007
【図６】
2006319777.tif 000008
【図７】
2006319777.tif 000009
【図８】
2006319777.tif 000010
【図９】
2006319777.tif 000011
【図１０】
2006319777.tif 000012
【図１１】
2006319777.tif 000013